(57)【特許請求の範囲】
【請求項１】
排水ホースの末端を、押さえ板により防水パン排水口に固定する構造であって、
前記排水ホースの末端付近には外側へ突出した鍔部が設けられ、該鍔部を含む該排水ホースはゴム製であり、
前記押さえ板には、前記鍔部より小径で排水ホースの末端を通すことのできる差込み孔と、該差込み孔の外周に前記防水パン排水口側に設けられた係止手段に係合する係合部が形成され、
防水パン排水口側には、下方に向かって縮径したガイド面が形成されてなり、
前記押さえ板を前記排水ホースの鍔部の上にセットした状態で、前記防水パン排水口に係脱可能に係合固定させ、前記排水ホースの鍔部を前記ガイド面に当接させること
を特徴とする排水ホースの固定構造。
【請求項２】
前記押さえ板の上面には、つまみ用のリブが設けられていることを特徴とする請求項１に記載の排水ホースの固定構造。
【発明の詳細な説明】
【技術分野】
【０００１】
本発明は、排水口に取り付けられた排水ホースの末端を、防水パンの排水口に押さえ板により固定する固定構造に関するものである。
【背景技術】
【０００２】
従来、特許文献１に開示されているように、排水開口に着脱可能に目皿が設けられ、この目皿に、浴槽の排水口部から配管された排水管の先端部が嵌合保持される構造がある。
【特許文献１】特開２００１−６５０２５号公報
【発明の開示】
【発明が解決しようとする課題】
【０００３】
上記従来の排水管の先端の固定構造では、排水管の先端部が目皿に形成された保持開口部内に上方から差し込まれる構造であり、上から排水管の先端部を差し込むだけの構造であるため、排水管が抜け易いという問題点があった。
【課題を解決するための手段】
【０００４】
本発明は、排水ホースが抜けることのない排水ホースの固定構造を提供することを目的の１つとし、上述の目的の少なくとも一部を達成するために以下の手段を採った。
本発明は、排水ホースの末端を、押さえ板により防水パン排水口に固定する構造であって、
前記排水ホースの末端付近には外側へ突出した鍔部が設けられ、該鍔部を含む該排水ホースはゴム製であり、
前記押さえ板には、前記鍔部より小径で排水ホースの末端を通すことのできる差込み孔と、該差込み孔の外周に前記防水パン排水口側に設けられた係止手段に係合する係合部が形成され、
防水パン排水口側には、下方に向かって縮径したガイド面が形成されてなり、
前記押さえ板を前記排水ホースの鍔部の上にセットした状態で、前記防水パン排水口に係脱可能に係合固定させ、前記排水ホースの鍔部を前記ガイド面に当接させることを要旨とする。
【発明の効果】
【０００５】
本発明では、押さえ板を排水ホースの鍔部の上にセットした状態で、押さえ板の係合部を防水パン排水口側に設けられた係止手段に係脱可能に係合させ、排水ホースの鍔部を防水パン排水口側のガイド面に当接させることで、排水ホースの末端を確実且つ強固に防水パン排水口に固定することができ、排水ホースが外れることがない。
【０００６】
また、上記排水ホースの固定構造において、前記押さえ板の上面には、つまみ用のリブが設けられている構成とすることもできる。
こうすれば、押さえ板を回転させて押さえ板の係合部を防水パン排水口側の係止手段に係合させる際に、つまみ用のリブをつまんで良好に押さえ板を回転させることができ、狭いスペースでも押さえ板を良好に回転させて排水ホースの末端を防水パン排水口に固定することができるものとなり、また逆に、取り外す際にも良好に作業が行えるものとなる。
【発明を実施するための最良の形態】
【０００７】
次に、本発明の実施の形態を実施例を用いて説明する。
図１は、浴槽底面の排水口に取り付けられた浴槽排水ホースの要部配置構成図を示すものであり、浴槽１の底面には、浴槽水を排出するための浴槽排水口１ａが形成されており、この浴槽排水口１ａに底側から浴槽排水ホース２の上流端が取り付けられている。また、浴槽１を載置した下方の浴槽防水パン３には、防水パン排水口３ａが設けられており、浴槽排水ホース２の末端がこの防水パン排水口３ａに固定されている。
【０００８】
防水パン排水口３ａの底側には、防水パン排水ホース４が取り付け接続されており、この防水パン排水ホース４は図示しない排水トラップに連通接続されるものである。
浴槽排水ホース２の末端を防水パン排水口３ａに固定する部分の拡大分解斜視図を図２に示す。
また、図３には、防水パン排水口３ａに取り付けられる排水口フランジの拡大斜視図を示す。更に図４には、浴槽排水ホースを固定するための押さえ板の拡大斜視図を示す。
【０００９】
浴槽排水ホース２の末端側には伸縮可能に蛇腹部２ａが形成され、蛇腹部２ａの下流側にはエルボ部２ｂが設けられて、その下端には末端差込み部２ｃが垂設されている。この末端差込み部２ｃの上方に、外周側へ突出してリング状の鍔部５が一体形成されており、この鍔部５を含む浴槽排水ホース２はゴム製のものである。
また、浴槽防水パン３側に取り付けられる防水パン排水ホース４は、蛇腹部４ａの上流側にエルボ部４ｂが形成され、エルボ部４ｂの上端には浴槽防水パン３の防水パン排水口３ａに固定される取付固定面４ｃが形成されており、この取付固定面４ｃから上方へ立ち上がって筒状をなし、その上端で外側へ拡径された形状の排水口フランジ６が一体形成されており、この排水口フランジ６を含む防水パン排水ホース４もゴム製のものである。
【００１０】
排水口フランジ６は、その上面が当接上面６ａとなっており、当接上面６ａの内側で下方に向かって縮径して傾斜状にガイド面６ｂが形成されている。当接上面６ａの外周の３カ所の位置から上方へ一体に立ち上げて、３カ所に係止立片７ａがそれぞれ立設されており、各係止立片７ａの上端から外側へ水平に突出して突起７ｂが一体形成されている。
【００１１】
また、押さえ板８は樹脂製でドーナツ板状に形成されており、その外周寸法は、浴槽排水ホースの鍔部５よりも大径に形成されており、内側には、浴槽排水ホース２の末端差込み部２ｃを上から差し込むことができ、しかも鍔部５よりも小径の差込み孔８ａが形成されている。この差込み孔８ａの外周には３カ所の位置に上下に貫通して突起通し孔８ｂ，８ｂ，８ｂが貫通形成されており、各突起通し孔８ｂの内側から連続して、差込み孔８ａの外側で差込み孔８ａに沿って湾曲状に切り欠いて係合溝８ｃが上下にそれぞれ貫通形成されている。また、押さえ板８の上面の２カ所には、上方へ一体状に立ち上げて指でつまむことのできるつまみ用リブ８ｄ，８ｄが立設されている。
なお、この押さえ板８に形成されている突起通し孔８ｂは、排水口フランジ６に形成されている突起７ｂを通すことのできる形状寸法に形成されたものであり、また係合溝８ｃは、その内側に排水口フランジ６側に形成されている係止立片７ａが入り込むことのできる幅寸法に形成されたものである。
【００１２】
次に、このような部材による浴槽排水ホース２の防水パン排水口３ａへの固定作業を説明する。
まず、押さえ板８の差込み孔８ａ内に、浴槽排水ホース２の末端差込み部２ｃを差し込んで通し、その状態で更にエルボ部２ｂを上方から押さえ込んで、ゴム製の鍔部５を変形させながら押さえ板８の差込み孔８ａの下方側へ押し込む。こうすることで、鍔部５は押さえ板８の差込み孔８ａ内に無理に押し込められて、押さえ板８の下方で元の形状に戻り、この状態で押さえ板８は鍔部５の上面側に配置されて、浴槽排水ホース２に押さえ板８がセットされた状態となる。
【００１３】
この状態で、浴槽防水パン３の防水パン排水口３ａに取り付けられた排水口フランジ６の３カ所の突起７ｂ，７ｂ，７ｂと、押さえ板８の３カ所の突起通し孔８ｂ，８ｂ，８ｂを位置合わせして、押さえ板８を下方側へ押圧することで、各突起通し孔８ｂ内に排水口フランジ６の突起７ｂを通し、突起７ｂを押さえ板８の上方に配置することができ、この状態で押さえ板８のつまみ用リブ８ｄ，８ｄを指でつまんだ状態で、押さえ板８を時計回りに回転させると、押さえ板８の係合溝８ｃ内に排水口フランジ６の係止立片７ａがそれぞれ係入されてゆき、係合溝８ｃ内に係止立片７ａが係止された状態となる。
【００１４】
この状態では、押さえ板８の下面は排水口フランジ６の当接上面６ａに当接した状態となり、浴槽排水ホース２に形成されている鍔部５は、排水口フランジ６のガイド面６ｂに当接し、浴槽排水ホース２の末端差込み部２ｃは、排水口フランジ６内に差し込まれた状態で固定されることとなる。この固定状態を上面側から見た状態を図５に示す。
【００１５】
このように、押さえ板８の係合溝８ｃ内に排水口フランジ６の係止立片７ａが係入されて、係合溝８ｃの上側に排水口フランジ６の突起７ｂが当接し、この状態では、突起７ｂが押さえ板８の上面に当接しているため、浴槽排水ホース２に上方へ向かう力が作用しても、浴槽排水ホース２は抜けない状態に保持されることとなり、浴槽排水ホース２が振動等しても、浴槽排水ホース２の抜脱が確実に防がれるものである。
なお、浴槽排水ホース２の末端差込み部２ｃが確実に排水口フランジ６内に差し込まれていないと、押さえ板８を排水口フランジ６に取り付けることはできないために、施工時の差込み不良等の作業ミスを低減できるものである。
【００１６】
なお、メンテナンス時等に浴槽排水ホース２を防水パン排水口３ａから取り外す際には、反時計方向に押さえ板８を回転させることで、係合溝８ｃから係止立片７ａが抜脱し、更に押さえ板８を上方へ引き上げることで、突起通し孔８ｂから突起７ｂを抜脱させることができて、押さえ板８とともに浴槽排水ホース２の末端側を上方へ持ち上げて外すことができるものである。
なお、本実施例の排水ホースの固定構造は、浴槽排水ホース２に限らず、洗濯機用の排水ホース等、その他の排水ホースにも適用することができるものである。
【図面の簡単な説明】
【００１７】
【図１】浴槽防水パン上に設置された浴槽と浴槽排水ホースの接続状態を示す要部拡大構成図である。
【図２】浴槽排水ホースを防水パン排水口に接続する部分の分解拡大構成図である。
【図３】防水パン排水口に取り付けられる排水口フランジの拡大斜視構成図である。
【図４】押さえ板の拡大斜視構成図である。
【図５】押さえ板により浴槽排水ホースを防水パン排水口に取り付けた状態の上面側から見た状態図である。
【符号の説明】
【００１８】
１  浴槽
１ａ  浴槽排水口
２  浴槽排水ホース
２ｂ  エルボ部
２ｃ  末端差込み部
３  浴槽防水パン
３ａ  防水パン排水口
４  防水パン排水ホース
４ｂ  エルボ部
４ｃ  取付固定面
５  鍔部
６  排水口フランジ
６ａ  当接上面
６ｂ  ガイド面
７ａ  係止立片
７ｂ  突起
８  押さえ板
８ａ  差込み孔
８ｂ  突起通し孔
８ｃ  係合溝
８ｄ  つまみ用リブ
【図１】
0005268319.tif 000002
【図２】
0005268319.tif 000003
【図３】
0005268319.tif 000004
【図４】
0005268319.tif 000005
【図５】
0005268319.tif 000006